(57)【要約】【課題】利用者が常に心地よくサウナを利用でき、かつタオルマットの交換作業や洗濯等を不要とし、コスト負担を軽減する使い捨てのサウナ用マットを提供する。【解決手段】サウナルームで腰掛ける部分や足元に敷いて使われるサウナ用マットであって、防水シートの上に吸水紙と表面材とが順に積層されてなり、前記吸水紙が一度吸水するとほぐれやすく再利用できない紙からなる使い捨てサウナ用マット。【選択図】  図１
2020005819.tif 000002
【特許請求の範囲】
【請求項１】
サウナルーム内で腰掛ける部分や足元に敷いて使われるサウナ用マットであって、
防水シートの上に吸水紙と表面材とが順に積層されてなり、前記吸水紙が一度吸水するとほぐれやすく再利用できない紙からなることを特徴とする使い捨てサウナ用マット。
【請求項２】
請求項１に記載のサウナ用マットであって、
防水シートの上に吸水紙と表面材とを順に積層し、かつ防水シートの外周端部を表面材の周辺端部の上面に接着して吸水紙を内包して一体に形成されてなることを特徴とする使い捨てサウナ用マット。
【請求項３】
請求項１又は２に記載のサウナ用マットにおいて、防水シートの下面全面又は一部に、滑り止め材料が塗布されてなることを特徴とする使い捨てサウナ用マット。
【請求項４】
前記吸水紙が、ＪＩＳ  Ｐ  ４５０１に規定されるほぐれやすさ試験の結果が１００秒以下程度のほぐれやすさであることを特徴とする請求項１又は２のいずれかに記載のサウナ用マット。
【発明の詳細な説明】
【技術分野】
【０００１】
本発明は、サウナルーム内で利用者が、腰掛ける部分や足元に敷いて使うサウナ用マットに関する。
【背景技術】
【０００２】
温泉施設やホテル、スポーツクラブ等の入浴場に併設されるサウナは、健康志向の高まりと相まって、多くの人に利用されており、またサウナだけを提供するサウナ専用施設もある。
一般に、サウナルームは図５に示すように、室内に数段のベンチ５１が形成され、利用者は前記ベンチ５１に座って利用する。このベンチ５１は、土台部分から全て木材で構成されていたり、土台部分はコンクリート製で利用者が腰掛ける座面の部分に木板が敷かれて構成されていたりする。
このように、ベンチ５１の座面は、サウナ利用者が直接触れる部分となるため多くは木板が使われているのだが、そのため座面を構成する木板は、大勢のサウナ利用者の汗が染みこむことになり、痛みやすく、さらに腐食やカビ発生だけでなく、様々な雑菌が増殖しやすいという問題がある。
また、ベンチ５１の座面の材料としてよく使われる檜材などは密度が高いため、高熱になりやすく、やけどの危険もあることから、通常、バスタオルやタオルマット（以下、サウナマットという）が全面に敷かれている。
ベンチ５１の座面にサウナマット５２を敷くことで、座面の木板に直接汗が染みこむのを防止し、この上に座る利用者の汗を吸水する機能も果たしている。
一般にサウナマット５２は、ベンチ５１の座面に敷きっぱなしになっており、最初の利用者の汗で湿ったサウナマット５２の上に、次の利用者が座ることになるが、これにはかなりの不快感を感じる。
そのため、施設によっては、利用者各々がそれぞれ別のサウナマット５２を利用できるように予備のサウナマット５２を備えているが、すべての施設がそこまでのサービスを提供できているわけではなく、予備のサウナマットがない場合には、利用者は仕方なくじっとりと湿って座り心地のよくないサウナマットの上に座らざるを得ない。
このような問題を解決し、サウナ利用者の快適な座り心地を維持しやすくするための様々な提案がなされている。
例えば、特開２０１７−８６８５６号公報には、「サウナマット用下敷シート」なるものが開示されている。
これは、「厚さ方向に所定の弾力性を有した発泡樹脂シートからなりサウナ室のベンチ板と布製のサウナマットの間に介装されて所定のクッション性及び断熱性を発揮するサウナマット用下敷シート」であり、所定の弾力性を有した発泡樹脂シートをサウナマットの下敷として使用し、前記発泡樹脂シートに複数個の貫通孔を設けて利用者の着座・起立動作によりポンプ機能を発揮しながらサウナマットの水分を貫通孔内に吸引する構成となっている。
このサウナマット用下敷シートによれば、サウナマットのみでは不充分なクッション性及び断熱性を改善することができ、サウナマットの水分を積極的に吸引することにより、その肌触りを改善しながらサウナマットの乾燥を促進させる機能が発揮でき、サウナ利用者の快適な座り心地を確保することができるとされている。
【先行技術文献】
【特許文献】
【０００３】
【特許文献１】特開２０１７−８６８５６号公報
【発明の概要】
【発明が解決しようとする課題】
【０００４】
サウナを提供する温泉施設やホテル等の施設（以下、施設という）においては、利用者が快適にサウナを利用できるようにすることと、施設内の衛生管理をすることは重要なことである。利用者が使用して湿ったサウナマットを長時間高温のサウナルーム内に放置しておくことは、様々な雑菌を増殖してしまうことになり衛生上の問題である。
さらに深刻な衛生上の問題として、先の利用者が使用して湿ったタオルマットを、後の利用者が、サウナルーム近傍に設置されているかかり湯やかかり水として貯水されている水槽や浴槽に入れて水洗いし、それを絞ってサウナルーム内で使用したり、あるいは、サウナの利用後に、サウナルーム内で使用したサウナマットを腰などに巻いてそのまま持ち出し、サウナルーム外の他の湯船でタオル代わりにして使ったりというようなケースが挙げられる。
本来、サウナルームで敷かれるサウナマットをサウナルーム外で使用することは禁止されているが、利用者が無意識にやってしまうことであり、完全に防止することは難しい。
しかし、サウナルームで使用したサウナマットを、かかり湯やかかり水の水槽や温泉の浴槽の中に浸けてしまうと、サウナマットで増殖した一般細菌、大腸菌、感染菌などの雑菌により水槽や浴槽の水が汚染されてしまう恐れがある。そして、その汚染された水槽の水や浴槽の湯を他の利用者がかかり湯やかかり水として使ってしまうという衛生上の深刻な問題が生じる。
また、上記のようにサウナマットを水槽や浴槽内に浸けてしまうことで、タオル生地の繊維くずが浴槽内に貯まり、さらに雑菌の巣窟となってしまうこともある。
前記繊維くずは、循環式浴槽設備の施設では循環装置を詰まらせてしまうという問題も起こす。
【０００５】
上記のような問題の対応として施設では、利用者に注意喚起するとともに、汗を吸って濡れて不衛生な状態で放置しないよう定期的にサウナマットを交換している。
この交換作業は、施設の大きさや利用者の数によって異なるものの、一般におよそ１時間に１回程度の頻度で行われ、サウナルームのベンチ座面に敷かれたすべてのサウナマットを洗濯済みの別のサウナマットと交換している。
そして、交換したサウナマットを洗濯し乾燥させて、再びサウナルームのベンチ座面に敷くという作業を繰り返し、利用者に衛生的でかつ快適にサウナを利用してもらえるようにサービスを提供している。
【０００６】
しかし、前記サウナマットの交換、洗濯、乾燥の一連の作業は、重労働であり時間もかかり、人件費の面からもかなりのコストがかかるのは免れない。また、人材確保が難しいことから、外部にサウナマットの洗濯を委託している場合もあり、その場合にはさらにコストがかかり大きな負担となっている。
特に問題なのは、コスト削減のために、サウナマットの交換の間隔を、１時間に１回から２時間に１回、あるいは３時間に１回というように広げて交換回数を減らし、交換作業にかかる人件費コストを下げることである。このような場合、不衛生なサウナマットが長時間放置されてしまうことになる。
【０００７】
前記特許文献１に記載のサウナマット用下敷シートは、サウナマットの下に敷いて用いられるシートであり、利用者の使用感は向上するとしても、衛生面上サウナマットの交換作業は回避できず、サウナマットの交換作業に伴う重労働やコスト負担の問題を解消することはできない。
また、施設により定期的なサウナマットの交換では、利用者が無意識にサウナルーム内でサウナマットとして使用されているタオル類を、浴槽に浸けて洗ってサウナルーム内や他の浴槽で使用することを完全に防止することはできない。
本発明は上記発明の問題点に鑑みてなされたもので、利用者が常に心地よくサウナを利用でき、かつサウナマットの交換作業や洗濯等の再利用工程を不要としてコスト負担を軽減するとともに、利用者がサウナマットを浴槽に浸けるような使用をすることを防止する使い捨てのサウナ用マットを提供するものである。
【課題を解決するための手段】
【０００８】
本発明者は上記課題を下記の手段により解決した。
（１）サウナルーム内で腰掛ける部分や足元に敷いて使われるサウナ用マットであって、
防水シートの上に吸水紙と表面材とが順に積層されてなり、前記吸水紙が一度吸水するとほぐれやすく再利用できない紙からなることを特徴とする使い捨てサウナ用マット。
（２）前記（１）に記載のサウナ用マットであって、防水シートの上に吸水紙と表面材とを順に積層し、かつ防水シートの外周端部を表面材の周辺端部の上面に接着して吸水紙を内包して一体に形成されてなることを特徴とする使い捨てサウナ用マット。
（３）前記（１）又は（２）に記載のサウナ用マットにおいて、防水シートの下面全面又は一部に、滑り止め材料が塗布されてなることを特徴とする使い捨てサウナ用マット。
（４）前記吸水紙が、ＪＩＳ  Ｐ  ４５０１に規定されるほぐれやすさ試験の結果が１００秒以下程度のほぐれやすさであることを特徴とする前記（１）又は（２）のいずれかに記載のサウナ用マット。
【発明の効果】
【０００９】
本発明の使い捨てサウナ用マットによれば、防水シートの上に吸水紙と表面材とが順に積層されてなり、前記吸水紙が一度吸水するとほぐれやすく再利用できない紙からなるので、構造が簡単で安価で製造でき使い捨てが可能となり、サウナ提供施設におけるマット交換作業に伴う重労働が不要となり、かつ利用者は常に清潔なマットを使うことができ、サウナを快適に利用できる。
また、本発明の使い捨てサウナ用マットは、内包する吸水紙を、一度吸水するとほぐれて再利用ができない素材の紙で構成しているので、使用済みのサウナ用マットを絞って再利用したり、浴槽等に浸けて洗って使うということができなくなることから、利用者が無意識に使用済みのサウナ用マットを浴槽等に浸けることを確実に防止することができる。
さらに、防水シートの下面全面又は一部に滑り止め材料を塗布することにより、腰掛けたり、足元に敷いた際にサウナ用マットが滑ったりずれたりすることなく、安全な利用が可能となる。
また、本発明のサウナ用マットは使い捨てなので、使用後には利用者がすぐに廃棄することができ、サウナルームのベンチの座面に、湿ったサウナマットを放置することがなくなり、座面の板材の劣化を防止することができ、施設のメンテナンス費用の削減を図ることができる。
【図面の簡単な説明】
【００１０】
【図１】本発明にかかる使い捨てサウナ用マットの実施例の上面図及び断面図
【図２】本発明にかかる使い捨てサウナ用マットのその他の実施例の上面図及び断面図
【図３】本発明にかかる使い捨てサウナ用マットの実施例の一部断面図
【図４】本発明にかかる使い捨てサウナ用マットの使用例の説明図
【図５】従来のサウナ用マットの使用例の説明図
【発明を実施するための形態】
【００１１】
本発明の使い捨てサウナ用マットについて、実施例を図に基づいて説明する。
図１は本発明にかかる使い捨てサウナ用マットの実施例の上面図（ａ）及び断面図（ｂ）、図２は本発明にかかる使い捨てサウナ用マットのその他の実施例の上面図（ａ）及び断面図（ｂ）、図３は本発明にかかる使い捨てサウナ用マットの実施例の一部断面図、図４は本発明にかかる使い捨てサウナ用マットの使用例の説明図である。
図において１は使い捨てサウナ用マット、１’は足元用のサウナ用マット、２は表面材、３は吸水紙、４は防水シート、５は接着部、６は滑り止め用材料である。
【００１２】
本発明の使い捨てサウナ用マットは図１に示すように、防水シート４の上に吸水紙３と表面材２とを順に積層した積層体で構成される。前記積層体は、吸水紙３を内包するように、防水シート４と表面材２の外周端部を接着して一体に形成される。
図１に示す実施例においては、防水シート４の外周端部を表面材２の周辺端部の上面に接着して吸水紙３を内包して一体に形成されているが、外周端部の接着方法は特に限定されない。
本実施例において、使い捨てサウナ用マット１は、座った際に前方となる一辺が曲線で、全体として略正方形で形成される。これは利用者が座ったときに、ベンチの座面に肌が直接触れることなく心地よく座れるように前方に丸みをもたせたものであるが、全体の形状は特に限定されるものではない。
図２は足元用のサウナ用マット１’であり、構成は前記サウナ用マット１と同様である。
サウナルームで利用者が座る場所の足元に敷設し、足元の座面が直接肌に触れるのを防止し、かつ足元まで流れる汗を吸水するためのものである。
足元用のサウナ用マット１’も、図１に示すようなサウナ用マット１と同じような形状としてもよく、また、図２に示すような正方形や長方形にしてもよく、さらに円や楕円などの円型であってもよく、本発明の要旨の範囲内で種々の変形が可能である。
本発明にかかる使い捨てサウナ用マット１の全体の大きさは、利用者が座面に敷いて座ることができる程度の大きさであればよい。
本実施例においては、１辺が６０〜８０ｃｍの略正方形で構成しているが、これに限定されるものではない。
また、足元用のサウナ用マット１’は、前述のように利用者が足元に敷いて使うためのものなので、それに適した大きさであればよく、例えば、縦が２５〜４０ｃｍで横が３５〜８０ｃｍ程度の略長方形であれば、大きすぎず使い勝手のよい足元用のサウナ用マット１’となる。
【００１３】
本実施例において、表面材２は、利用者が座った際に、肌が直接触れる部分となるので、肌触りがよく、かつ湿った時に肌にまとわりつくようなことのない素材で、吸水性が高く、利用者が一度座った程度では水に溶けない程度の紙で構成される。
なお、本願発明にかかるサウナ用マットは、使い捨てとして使用するものであり、利用者が洗えば使えると勘違いしないように構成されるので、複数回使えるほどの非水溶性はないことが好ましい。
具体的には、表面材には湿潤紙力剤の合成樹脂を添加して、吸水性を高めるエンボス加工で仕上げた紙などが好適に用いられる。
湿潤紙力剤としては、尿素−ホルムアルデヒド系樹脂、メラミン−ホルムアルデヒド系樹脂、エポキシ−ポリアミド系樹脂等の水溶性熱硬化型樹脂が挙げられるが、ポリアミド系樹脂の湿潤紙力剤は低添加量で高い湿潤紙力を発揮できるので、製造コストを抑えるという点からも好ましい。
また、肌触りを重視する場合には、表面材２は、ポリオレフィン系、ポリエステル系、ポリプロピレン系などの不織布であってもよい。表面材２に不織布を使用すると、吸水性が高く、水分が逆戻りしにくい構造となり、肌が直接サウナ用マット１に触れていても、サラッとしていて不快感なく利用できるものとなる。
また、肌触りをしっとりするための保湿剤を加えたものであってもよい。
一般にティッシュペーパーやキッチンペーパーとして使用されている程度の紙であれば、しっかり吸水できるとともに、一度の吸水で破れることはないものの、吸水した後に複数回使用することは難しく、再利用できないことから好適である。
前記表面材２は、着色されたものとすることもでき、清潔感を高めるために白としてもよく、またサウナルームの落ち着いた雰囲気と馴染むように、赤茶色や、オレンジ色、黄色などに濃いめの着色したものとすれば、利用者は汚れ等を気にせずにリラックスしてサウナを利用する効果も期待できる。
【００１４】
また、本実施例において、吸水紙３は、表面材２から浸透してきた水分を吸水するもので構成される。
本発明においては、吸水紙３は、一度吸水するとほぐれやすく再利用できない紙で構成される。本発明のサウナ用マット１は、一度しか使えない使い捨てのものであり、それが客観的にも物理的にも実現されるものである。
前記吸水紙３のほぐれやすさとしては、ＪＩＳ  Ｐ  ４５０１に規定されるほぐれやすさ試験の結果が１００秒以下程度のほぐれやすさ、すなわちトイレットペーパー程度であることが好ましい。１００秒以上だと、一度の吸水ではほぐれにくく再度の利用が可能となってしまうからである。
本発明におけるサウナ用マット１は、吸水紙３を一般のトイレットペーパーのように、一度吸水するとほぐれてしまい再利用ができない紙で構成し、一度の利用で吸水紙３が水解してボロボロになり、利用者が再利用しようとしてもできないものとなっている。
このように本発明にかかる使い捨てサウナ用マット１は、一人の利用者が使った後には、もう使用できないと、物理的にわかるように構成される。したがって、表面材２及び吸水紙３ともに、耐水性のある丈夫な素材である必要はなく、むしろ使用後には、確実に吸水した使用感が感じられ、吸水紙３においてはほぐれてしまっていて、それを洗ったり絞ったりして使おうという気にならない状態になる素材で構成されることが好ましい。
それにより、衛生面での知識のない利用者でも再利用することなく、使い捨てのものであると認識できるものとなっている。
なお、吸水紙３としては、繊維の長い木材パルプからなる紙や、古紙などの再生紙などを使うことができ、これらを複数枚重ねたり、厚手のシート状のもので構成する。
一般にトイレットペーパーとして使用されている程度の紙であれば、しっかり吸水できるとともに、一度吸水するとほぐれてしまい、水槽や浴槽などに浸けることもできず、どのような利用者であっても、吸水した後に再利用することは難しく好適である。
なお、吸水紙３として、吸水ポリマー、高分子ポリマー、高吸水性ポリマーなどを吸水材を使用することも可能であるが、耐水溶性の低い吸水紙で吸水ポリマー等の吸水材を包む等により、使用後に水槽や浴槽に浸けて洗って再利用することはできないようにすることが好ましい。
【００１５】
本発明にかかる使い捨てサウナ用マット１は、サウナを利用する際に座面に敷いて使うものであり、一人の利用者がサウナ利用時間において、利用者の汗や、サウナルーム内の湿気等を吸水できる程度の吸水性を備え、かつ使用後にはそれ以上の吸水が不可能で、絞ったり、洗ったりして再利用することのできないものであれば吸水紙３の材料は特に限定されない。
【００１６】
そして、本実施例において、防水シート４は、上記吸水紙３で吸水した水分を座面や床面に浸透させず、かつ座面や床面の水分が吸水紙３側に染みこむことのない防水効果を持つシートが用いられている。また、ベンチの高温にも耐えうる程度の耐熱性を備える。
例えば、ポリエチレンフィルムなどのビニール素材が好適である。
防水シート４もサウナルームの雰囲気に馴染み、汚れ等が目立たない、利用者がリラックスして使える濃いめの色で着色したものとすることが好ましい。
【００１７】
なお、本発明にかかる使い捨てサウナ用マット１の外周端部は、前述のように表面材２、吸水紙３、防水シート４からなる積層体を、表面材２と防水シート４で吸水紙３を内包するように、防水シート４と表面材２の外周端部を接着して一体に形成される。
前記接着は、前記防水シート４の外周端部を表面材２の外周辺端部の上面に接着され一体に形成する方法であってもよい。外周端部を前記防水シート４で表面材２を包むように接着して一体に形成することで、吸水紙３が吸水した水分や、吸水した吸水紙３がほぐれて接着部から漏れ出るのをより防止できる。
また、バイヤステープで表面材２と吸水紙３と防水シート４を積層した外周端部の包むように接着する方法などであってもよい。
すなわち、本発明にかかる使い捨てサウナ用マット１を構成する表面材２、吸水紙３、防水シート４からなる積層体を、吸水紙３を表面材２と防水シート４とで内包するように接着固定する方法であれば、接着の方法は特に限定されない。
また、接着は、水分の吸収使用に耐え、かつ少なくとも１回の使用に耐えうる程度の接着でよい。この表面材２と防水シート４とを接着するために使用される接着剤は、表面材２と防水シート４とを接着可能なものであれば、特に限定されない。
したがって、表面材２及び防水シート４の素材に応じて、ホットメルト系接着剤、酢酸ビニル樹脂系接着剤、ウレタン樹脂系接着剤、アクリル樹脂系接着剤、シリル化ウレタン樹脂系接着剤、スチレンブタジエンゴム系接着剤等、素材間の接着性能や、製造工程における加熱工程の有無等を考慮して選択することができる。
なお、表面材２と防水シート４がそれぞれ薄い素材の場合など、素材を貫通しないよう接着剤を少量にする場合には、熱で溶けて高速で接着できる熱可塑性樹脂ホットメルト系接着剤などが好適である。
なお、接着部の幅（糊代）は、全体の大きさにもよるが、概ね８〜１５ｍｍ程度であれば、内包される吸水材３が吸水して嵩高になったり、利用者の粗雑な取り扱いなどによっても接着が剥がれることなく、安心して使用することができる。
【００１８】
また、本発明にかかる使い捨てサウナ用マット１は、防水シート４の下面全面又は一部に、滑り止め用樹脂を塗布したり、滑り止め用シートを貼着して構成してもよい。
例えば、サウナルームで利用者が座った時に足元に足元用のサウナ用マット１’を敷いて使われるが、その際に、サウナ用マット１’が捲れたり、移動したりしないようして、利用者の利便性や安全性を高め、サウナ用マット１’が乱雑になって不衛生な状態になることを防止するために、図３に示すように防水シート４の下面、要するに裏面に滑り止めを施すことが好ましい。
図３においては、防水シート４の裏面に、滑り止め用材料６がドット状に塗布され、サウナ用マット１’が滑らないようにしている。
滑り止め用材料６としては、従来より滑り止め効果があるとされる材料を採用できる。
例えばラテックス、ラバーフォーム材、ホットメルト樹脂、ポリエステル、スチレン・エチレン・ブチレンの共重合樹脂等のホットメルト樹脂などが挙げられ、これらを全面又は一部、あるいは格子状等に塗布したり、あるいは滑り止め用のシートを貼着したり、任意の方法を選択することができる。
【００１９】
図４は、本発明にかかる使い捨てサウナ用マットの使用例の説明図である。
サウナルーム７０のベンチ７１の座面７２に、本発明にかかる使い捨てサウナ用マット１が複数枚配置されている。また床面には足元用の使い捨てサウナ用マット１’が敷かれている。
利用者７３は、サウナルームに入る際に、サウナ用マット１と足元用のサウナ用マット１’を持ち込み、それぞれサウナ用マット１の上に座り、足元用のサウナ用マット１’の上に足を置き、サウナルームの利用終了時には、その使用したサウナ用マット１及び足元用のサウナ用マット１’を、サウナルーム周辺の廃棄場所に廃棄すればよく、他人が使用したサウナ用マット１を利用することがなく、快適にサウナを楽しむことができる。
また、サウナルームのベンチの座面に、湿ったサウナマットを放置することがなくなり、座面の板材の劣化を防止することができ、施設のメンテナンス費用の削減を図ることができる。
さらに、施設側は、定期的なタオルマットの交換作業、洗濯乾燥殺菌等の重労働を回避することができ、人件費を軽減することが可能となる。
【符号の説明】
【００２０】
１    使い捨てサウナ用マット
１’  足元用のサウナ用マット
２    表面材
３    吸水紙
４    防水シート
５    接着部
６    滑り止め用材料
【図１】
2020005819.tif 000003
【図２】
2020005819.tif 000004
【図３】
2020005819.tif 000005
【図４】
2020005819.tif 000006
【図５】
2020005819.tif 000007